(57)【要約】【課題】ワイヤボンディングによってワイヤが発光素子と電気的に接続されたタイプの発光素子を備えた発光装置において、アライメントずれが生じても、透光部材をボンディングワイヤ等に接触させることがなく、かつ光出力の低下を招くことのない発光装置を提供することを目的とする。【解決手段】基体１１と、基体１１の上面に搭載された発光素子１５と、発光素子１５と電気的に接続されたワイヤ１６と、発光素子１５を被覆する板状透光部材１７とを備え、ワイヤ１６は、第１ボンディングボール１６ａと、ボンディングワイヤ１６ｂと、第２ボンディングボール１６ｃとがこの順に積層された積層体１６Ｄを有し、積層体１６Ｄは、発光素子１５の上面に配置され、かつ、板状透光部材１７は、積層体１６Ｄの上方に配置されている発光装置。【選択図】図１Ｃ
2015070124.tif 000002
【特許請求の範囲】
【請求項１】
基体と、
該基体の上面に搭載された発光素子と、
該発光素子と電気的に接続されたワイヤと、
前記発光素子を被覆する板状透光部材とを備え、
前記ワイヤは、第１ボンディングボールと、ボンディングワイヤと、第２ボンディングボールとがこの順に積層された積層体を有し、
該積層体は、前記発光素子の上面に配置され、かつ、前記板状透光部材は、前記積層体の上方に配置されていることを特徴とする発光装置。
【請求項２】
前記第１ボンディングボール及び第２ボンディングボールは、圧着ボールである請求項１に記載の発光装置。
【請求項３】
前記ボンディングワイヤは、前記第１ボンディングボールと第２ボンディングボールとの間でボンディングステッチを有する請求項１又は２に記載の発光装置。
【請求項４】
前記ワイヤは、前記ボンディングワイヤによって前記基体表面と電気的に接続される請求項１から３のいずれか１つに記載の発光装置。
【請求項５】
前記ボンディングワイヤによって接続された基体表面は、前記第１ボンディングボールよりも低い位置にある請求項１から４のいずれか１つに記載の発光装置。
【請求項６】
前記ボンディングワイヤによって接続された基体表面に、前記ボンディングワイヤの第３ボンディングボールを備える請求項１から５のいずれか１つに記載の発光装置。
【請求項７】
前記発光素子が、複数搭載されており、前記板状透光部材が、前記複数の発光素子を被覆している請求項１から６のいずれか１つに記載の発光装置。
【請求項８】
１つの前記板状透光部材の下方に２以上の積層体を備える請求項１から７のいずれか１つに記載の発光装置。
【請求項９】
前記板状透光部材は、蛍光体を備える請求項１から８のいずれか１つに記載の発光装置。
【請求項１０】
前記発光素子の側面は、光反射部材で被覆されている請求項１から９のいずれか１つに記載の発光装置。
【請求項１１】
前記発光素子と前記板状透光部材との間に、さらに光透過部材が配置されている請求項１から１０のいずれか１つに記載の発光装置。
【請求項１２】
前記光透過部材は、蛍光体を備える請求項１１に記載の発光装置。
【請求項１３】
前記光透過部材は、側面が光反射部材で被覆されている請求項１１又は１２に記載の発光装置。
【発明の詳細な説明】
【技術分野】
【０００１】
本発明は、発光装置に関し、より詳細には、ワイヤボンディングによってワイヤが発光素子と電気的に接続されたタイプの発光素子を備えた発光装置に関する。
【背景技術】
【０００２】
従来から、小型で電力効率が良好な発光素子に、この発光素子から出射された光に励起されて異なる色相の光を放出させる種々の波長変換部材を組み合わせて、多様な色彩の光を出射させることができる発光装置が開発されている。
そして、発光素子に波長変換部材を組み合わせる場合には、波長変換部材を含む又は備えたシート状又は板状の透光部材を、フェイスダウン実装した発光素子の裏面側（電極非形成面側）に配置することにより、歩留まりの高い発光装置を実現している（例えば、特許文献１）。
また、発光素子を搭載する基体の形状を工夫したり（例えば、特許文献２）、発光素子のワイヤボンドを避けることができる小型の板状体を利用したり（例えば、特許文献３）、板状体と発光素子との間に波長変換部材を含有する樹脂層を組み合わせたり、ワイヤを避けて波長変換部材を被覆したり（例えば、特許文献４）、ワイヤを引き回したり（例えば、特許文献５）することにより、発光素子をフェイスアップ実装して、発光素子の電極形成面に波長変換部材を配置する発光装置が提案されている。
【先行技術文献】
【特許文献】
【０００３】
【特許文献１】特開２００７−１９０９６号公報
【特許文献２】特開２０１０−２７３０８７号公報
【特許文献３】特開２０１２−１６９４４２号公報
【特許文献４】特開２００７−８０８７６号公報
【特許文献５】特開２００８−１６６７４０号公報
【発明の概要】
【発明が解決しようとする課題】
【０００４】
しかし、発光素子を搭載する基体の形状を工夫する、あるいは波長変換部材を含有する又は備える小型の透光部材を発光素子に組み合わせることによっても、透光部材を配置する際のアライメントずれ等により、発光素子におけるボンディングワイヤ等が透光部材を配置する際の障害となることがある。その結果、発光素子上における安定した透光部材の配置が困難となる。
また、発光素子に対して透光部材を小型化する、あるいは部分的に透光部材を配置することは、発光素子から出射される光の全てを効果的に透光部材に導入することが困難となる。さらに、ワイヤの引き回しは、発光素子から出射される光の吸収を増大させ、あるいは、引き回しの間に透光部材又は発光素子へのボンディングワイヤの接触をもたらし、ワイヤの断線を招く。これらの結果、光出力の低下が余儀なくされるという課題がある。
【０００５】
本発明はこのような課題を解決するためになされたもので、いわゆるワイヤボンディングによってワイヤが発光素子と電気的に接続されたタイプの発光素子を備えた発光装置において、アライメントずれが生じても、透光部材をボンディングワイヤ等に接触させることがなく、かつ光出力の低下を招くことのない発光装置を提供することを目的とする。
【課題を解決するための手段】
【０００６】
本発明者らは、ワイヤボンディングによってワイヤが発光素子と電気的に接続されたタイプの発光素子を備えた発光装置において、透光部材の安定的な配置を阻害する要因について種々検討を行った結果、特に、ワイヤボンディング法に起因するボンディングワイヤの本来の形態が、透光部材への接触を招き易いことを見出し、その形態を調整することにより、アライメント精度にかかわらず、劇的にボンディングワイヤの透光部材への接触を低減又は回避することができることを見出し、本発明の完成に至った。
【０００７】
本発明の発光装置は、
基体と、
該基体の上面に搭載された発光素子と、
前記発光素子と電気的に接続されたワイヤと、
前記発光素子を被覆する板状透光部材とを備え、
前記ワイヤは、第１ボンディングボールと、ボンディングワイヤと、第２ボンディングボールとがこの順に積層された積層体を有し、
該積層体は、前記発光素子の上面に配置され、かつ、前記板状透光部材は、前記積層体の上方に配置されていることを特徴とする。
【発明の効果】
【０００８】
本発明の発光装置によれば、いわゆるワイヤボンディングによってワイヤが発光素子と電気的に接続されたタイプの発光素子を備えた発光装置において、アライメントずれが生じても、透光部材とワイヤとの接触による断線を招くことがなく、かつ光出力の低下を招くことのない発光装置を提供することが可能となる。
【図面の簡単な説明】
【０００９】
【図１Ａ】本発明の発光装置の一実施形態を示す要部の概略平面図である。
【図１Ｂ】図１Ａの発光装置において、板状透光部材及び光反射部材を省略した要部の概略平面図である。
【図１Ｃ】図１ＡのＡ−Ａ’線断面図である。
【図１Ｄ】図１Ｃの発光装置における要部の概略拡大図である。
【図２Ａ】本発明の発光装置の別の一実施形態を示す要部の概略平面図である。
【図２Ｂ】図２Ａの発光装置において、板状透光部材及び光反射部材を省略した要部の概略平面図である。
【図２Ｃ】図２ＡのＡ−Ａ’線断面図である。
【発明を実施するための形態】
【００１０】
本発明の発光装置は、基体と、発光素子と、ワイヤと、板状透光部材とを備える。また、これらを備える発光装置は、さらに、発光素子と板状透光部材との間に配置される光透過部材、発光素子の側面を被覆する光反射部材等を任意に備えていてもよい。
【００１１】
（基体）
発光装置は、通常、発光素子を搭載するための基体を備えている。
基体は、通常、ガラスエポキシ、樹脂、セラミックス（ＨＴＣＣ、ＬＴＣＣ）などの絶縁性材料、絶縁性材料と金属部材との複合材料等によって構成される。耐熱性及び耐候性の高いセラミックスを利用したものが好ましい。セラミックス材料としては、アルミナ、窒化アルミニウム、ムライトなどが挙げられ、これらのセラミックス材料に、例えば、ＢＴレジン、ガラスエポキシ、エポキシ系樹脂等の絶縁性材料を組み合わせてもよい。
基体は、通常、その表面及び／又は内部に発光素子と接続される配線パターンを有するものが用いられる。配線パターンは、銅、アルミニウム、金、銀、タングステン、鉄、ニッケル等の金属又は鉄−ニッケル合金、燐青銅等の合金等によって形成されているものが挙げられる。また、配線パターンが表面に配置される場合には、その表面に、搭載される発光素子からの光を効率よく取り出すために反射メッキが施されていてもよい。また、配線パターンは、基体表面又は内部において、屈曲、変形していてもよい。配線パターンは、例えば、数μｍから数百μｍの厚みが挙げられる。
このような基体は、当該分野で公知であり、発光素子等が実装されるために使用される基板のいずれをも用いることができる。
なお、配線パターンは、発光素子と電気的に接続されるもののみならず、発光素子又は保護素子を載置するか、放熱性を向上させる、保護素子と電気的に接続されるなど、他の機能を付与するために利用することができる。
【００１２】
（発光素子）
本発明で用いられる発光素子は、いわゆる発光ダイオードと呼ばれる素子を意味する。なかでも、基板上に、ＩｎＮ、ＡｌＮ、ＧａＮ、ＩｎＧａＮ、ＡｌＧａＮ、ＩｎＧａＡｌＮ等の窒化物半導体、ＩＩＩ−Ｖ族化合物半導体、ＩＩ−ＶＩ族化合物半導体等、種々の半導体による発光層を含む積層構造が形成されたものが挙げられる。
【００１３】
発光素子は、対向する面に正及び負の電極がそれぞれ形成されたものであってもよく、同一面側に正及び負の電極がともに形成されていてもよい。後者の場合の一対の電極は、同じ高さで配置されていてもよいし、電極間に高低差があってもよい。正及び負の電極は、必ずしも１つずつ形成されていなくてもよく、それぞれ２つ以上形成されていてもよい。
【００１４】
電極は、その材料、膜厚、構造において、特に限定されず、金、銅、鉛、アルミニウム又はこれらの合金を含む単層構造又は積層構造のいずれでもよい。また、各電極の表面には、パッド電極として、Ｎｉ、Ｔｉ、Ａｕ、Ｐｔ、Ｐｄ、Ｗ等の金属又は合金の単層膜又は積層膜を形成してもよい。パッド電極の膜厚は特に限定されないが、なかでも、最終層（最も表面側）にＡｕを配置され、その膜厚が１００ｎｍ程度以上であることが好ましい。
【００１５】
発光素子は、通常、上述した基体の上面に搭載され、接合部材によって固定される。
対向する面にそれぞれ正及び負の電極を有する発光素子の場合には、発光素子を基体の配線パターン上に載置し、一方の電極（以下、第１電極ということがある）が形成された一方の面（以下、第１面又は裏面ということがある）は、接合部材として、銀、金、パラジウムなどを含有した導電性ペースト等によって固定することが好ましい。これによって、裏面に配置された第１電極を導電性ペーストによって、基体の配線パターンに電気的に接続することができる。
【００１６】
他方の電極（以下、第２電極ということがある）が形成された他方の面（以下、第２面又は上面ということがある）は、基体とは反対側に面して配置され、第２電極は、後述するように、ワイヤと電気的に接続される。第２電極と接続されたワイヤは、さらに、基体の配線パターンと電気的に接続されることが好ましいが、１つの発光素子内における、第２電極内での電極間接続されてもよいし、２以上の発光素子間における電極間接続されてもよい。この場合、第２電極は、ワイヤによって、１箇所のみ接続されていてもよいが、２箇所以上で接続されていてもよい。例えば、１箇所のみで又は２箇所以上で、配線パターンに接続されていてもよいし、２以上の分割された第２電極において、それぞれ、ワイヤによって、配線パターンに接続されていてもよい。上面においてワイヤの接続が２箇所以上であれば、後述する板状透光部材をより安定に配置することができる。
【００１７】
同一面側に正及び負の電極を有する発光素子を用いる場合は、電極が形成されていない側の面（以下、第１面又は裏面ということがある）を、エポキシ樹脂、シリコーン等の接合部材にて基体に固定することができる。また、発光素子からの光や熱による劣化を考慮して、発光素子の裏面にＡｌ、Ａｇ等の金属メッキをし、Ａｕ−Ｓｎ共晶などの半田、低融点金属等のろう材、導電性ペーストなどを接合材料として用いてもよい。これらの電極は、後述するように、ワイヤによってそれぞれ電気的に接続される。この場合、これらの電極は、ワイヤによって、基体の配線パターンへそれぞれ電気的に接続されることが好ましいが、上述したように、１つの発光素子内における同じ導電型の電極内での電極間接続であってもよいし、２以上の発光素子間における電極間接続であってもよい。
【００１８】
このようなことから、本発明の発光装置では、発光素子は、１つの発光装置において１つのみ搭載されていてもよいが、複数搭載されていてもよい。発光素子が複数搭載されている場合には、並列、直列又はこれらの組み合わせなど、接続形態は特に限定されない。
【００１９】
（ワイヤ）
ワイヤは、上述したように、発光素子と電気的に接続される導電部材である。ワイヤは、発光素子の表面に形成された電極と電気的に接続されている。また、ワイヤは、基体の配線パターンと、あるいは、別の発光素子の電極と、発光素子内の電極と、電気的に接続されていてもよい。そのため、ワイヤは、発光素子の電極とのオーミック性が良好であるか、機械的接続性が良好であるか、電気伝導性及び熱伝導性が良好なものであることが好ましい。熱伝導率としては、０．０１ｃａｌ／Ｓ・ｃｍ2・℃／ｃｍ程度以上が好ましく、さらに０．５ｃａｌ／Ｓ・ｃｍ2・℃／ｃｍ程度以上がより好ましい。作業性などを考慮すると、ワイヤの直径は、１μｍ〜４５μｍ程度であることが好ましい。このようなワイヤの材料としては、例えば、金、銀、銅、白金、アルミニウム等の金属及びそれらの合金が挙げられる。なかでも、接合信頼性、接合後の応力緩和等の観点から、金が好ましい。
【００２０】
ワイヤは、公知のボンディング法によって、発光素子と、配線パターンと、発光素子間又は電極間で、電気的に接続することができる。
ワイヤは、第１ボンディングボールと、ボンディングワイヤと、第２ボンディングボールとがこの順に積層された積層体を有している。この積層体は、発光素子との電気的な接続部位、つまり、発光素子の上面、特に、発光素子の電極の上面に配置されていることが好ましい。このような積層体を配置することにより、ワイヤボンディングによって発光素子を配線と電気的に接続するタイプの発光装置、例えば、フェイスアップタイプの発光素子を含む発光装置において、アライメントずれの有無にかかわらず、後述する板状の透光部材をボンディングワイヤ等の接触による断線を招くことなく配置することが可能となる。
【００２１】
このような積層体は、１つの発光素子において、１つのみ配置されていてもよいが、２つ以上、３つ以上配置されていることが好ましい。また、別の観点から、１つの発光装置において、積層体が２つ以上、３つ以上配置されていることが好ましい。１つの発光装置において複数の発光素子が搭載されている場合には、積層体が形成されていない発光素子が存在してもよい。つまり、積層体は、１つの発光素子上の全てのワイヤボンディングの部位に形成されていなくてもよい。ワイヤによる電気的な接続を意図しない部位に、いずれの部位にも接続されない状態で、積層体が配置されていてもよい。
【００２２】
特に、第１ボンディングボールと、ボンディングワイヤと、第２ボンディングボールとの積層体は、ボンディングワイヤが、第１ボンディングボールと第２ボンディングボールとの間に挟持され、第１ボンディングボールと第２ボンディングボールとの間から延長していることが好ましい。
このような形態とすることにより、積層体の高さを容易に調整することができるとともに、ワイヤボンディング自体の接合強度を確保することができる。
【００２３】
積層体の総高さは、特に限定されるものではなく、用いるワイヤの直径、発光装置のサイズ等によって適宜調整することができる。例えば、十数μｍ〜１００μｍ程度が挙げられ、２０〜６０μｍ程度が好ましい。このような範囲に設定することにより、後述する板状の透光部材をボンディングワイヤ等に接触させることがなく配置することができる。
【００２４】
積層体を構成する第１ボンディングボールは、ボールボンディング法等の公知のボンディング法によって形成することができる。例えば、ワイヤをキャピラリ等の治具に通し、スパーク等による高温加熱を利用して、ワイヤの先端に熱、任意に荷重及び／又は超音波をかけて、ワイヤを溶融させることによりボールを生成させる。この際の温度は、特に限定されることなく、用いるワイヤの材料、太さ等によって調整することができる。例えば、３６０℃程度以下の温度が挙げられる。ボールの大きさは特に限定されることなく、通常、ワイヤの１．２〜２０倍程度、さらに１．５〜１０倍程度の直径とすることができる。その後、このボールを発光素子の電極の上に接合する。
これにより、上述した又は後述するような高さ調整のみならず、電極が薄膜であっても、ボンディングボールがパッド電極様の役割を果たして、ワイヤボンドを形成する部位に与えられる押圧等のダメージを軽減又は緩和することができる。その結果、安定した接合を可能とする。
【００２５】
第１ボンディングボールは、圧着ボールであることが好ましい。このような形態とすることにより、その高さを容易に調整することができるとともに、ワイヤボンディング自体の接合強度を確保することができる。接合時には、超音波を印加しながらボールを圧着してもよい。
第１ボンディングボールの高さは、ワイヤの直径、ワイヤの供給量（通常、治具から繰り出すワイヤの長さ）、ワイヤの先端に負荷する接合温度、圧着する際のボールの荷重等の条件を適宜設定することにより、調整することができる。例えば、第１ボンディングボールの高さは、ワイヤの直径の１倍から３倍程度が好ましい。具体的には、１０〜３０μｍ程度が好ましく、１５〜２０μｍ程度がより好ましい。
第１ボンディングボール部の電極との接合面積は適宜調整することができる。例えば、ワイヤの直径の１倍から３倍程度又はボールの直径の１／３〜１倍程度が好ましい。
【００２６】
なお、第１ボンディングボールは、例えば、以下のような方法によって形成してもよい。
まず、発光素子の電極上に、ワイヤの溶融により形成されたボールを圧着し、この圧着ボールから、若干上方に移動させた後又は移動させずに、キャピラリを任意の方向に水平移動させる。この場合の任意の方向は、例えば、接続を意図する配線パターンの特定部位を０°の位置とすると、１５０〜２１０°程度の範囲が挙げられる。つまり、接続を意図する配線パターンの略反対の方向である。この際のキャピラリの移動距離は、１０〜１００μｍ程度とすることが適している。その後、キャピラリを上昇させる。続いて、キャピラリを第１ボンディングボール直上に水平移動させ、その後、下降させることにより、第１ボンディングボール上にキャピラリを圧着させて、第１ボンディングボールから延長するワイヤの別の部位を第１ボンディングボール上に圧着させる。第１ボンディングボール上にワイヤの別の部位を圧着させる際、超音波を印加しながら圧着してもよいが、印加せずに圧着することが好ましい。このように、２度の圧着を行うことにより、第１ボンディングボール表面をほぼ平坦とすることができ、第１ボンディングボールの高さ調整をより確実に行うことができる。
【００２７】
積層体を構成するボンディングワイヤは、第１ボンディングボールと第２ボンディングボールとの間に挟持されており、これらの間でボンディングステッチを有することが好ましい。
そのために、第１ボンディングボールが形成された部位とは異なる部位で、いわゆるファーストボンドを形成し、キャピラリをファーストボンドから上昇させ、ワイヤを繰り出しながらキャピラリを第１ボンディングボールとは反対の方向に水平移動させる。次いで、キャピラリを上昇させ、その後、キャピラリを降下させながら、第１ボンディングボールに向かって移動させ、第１ボンディングボール表面に、ワイヤを押し付けることが好ましい。この際、熱、荷重及び／又は超音波を加えて、ワイヤを変形させることにより、第１ボンディングボール上にボンディングステッチ（セカンドボンド）を形成することができる。
上記のような、第１ボンディングボールとボンディングステッチとの形成方法は、いわゆるＢＳＯＢ（ＢｏｎｄＳｔｉｔｃｈ ｏｎ Ｂａｌｌ）によって形成することができる。
【００２８】
第１ボンディングボールが形成された部位とは異なる部位としては、例えば、発光素子の電極との電気的な又は非電気的な接続を意図する基体の表面、具体的には、基体の配線パターンの表面が挙げられる。ファーストボンドを形成する部位は、第１ボンディングボールよりも低い位置に配置されていることが好ましい。
また、発光素子間又は電極間での接続を意図する場合は、別の発光素子の上面、具体的には、別の発光素子の電極上であるか、同じ又は異なる発光素子の電極上であってもよい。
発光素子間又は電極間での接続の場合、ファーストボンドは、例えば、ＦＪループ（株式会社カイジョーによるボンディング方法）、いわゆる超低ループを適用することができる。低ループを採用することにより、ボンディングワイヤを、発光素子と板状透光部材との間で略同一の高さを保ったまま、ボンディングステッチを第１ボンディングボール上まで延長することができる。
【００２９】
積層体を構成するボンディングワイヤが、第１ボンディングボールと第２ボンディングボールとの間でボンディングステッチを有する場合、ボンディングステッチは、上述したように、第１ボンディングボール上に押し付けられ、極薄膜状となるため、ボンディングステッチと第１ボンディングボールを積層した厚みは、第１ボンディングボールの高さと略同一となる。ここでの略同一とは、±数μｍ程度の変動は許容されることを意味する。
【００３０】
ボンディングワイヤのファーストボンドを形成する部位には、第１ボンディングボールと同様の方法によって、第３ボンディングボールを形成することが好ましい。これにより、第３ボンディングボールがパッド電極様の役割を良好に果たして、ファーストボンドを形成する部位に与えられる押圧等のダメージを軽減又は緩和することができる。その結果、安定した接合が可能となる。第３ボンディングボールを形成する部位は、基体表面であることが好ましく、基体の配線パターン表面であることがより好ましい。このようなボンディングワイヤによって、発光素子と基体表面とを電気的に接続することができる。
【００３１】
ボンディングワイヤは、第３ボンディングボールと第１ボンディングボールとを連結するループとして配置される。この場合のループは、図１Ｃに示したように、ファーストボンドからファーストボンドの上方に向かう部位、第１ボンディングボールに向かって方向を徐々に又は急激に変更する部位、略同一の高さを保って第１ボンディングボール上まで延長する部位を有する。
ここで、ファーストボンドの上方に向かう部位とは、ファーストボンドを形成する部位の表面に対して略直角であることが好ましいが、発光素子側に若干の傾斜を有していてもよい。略直角とは、±５度程度の変動を許容する意図である。また、発光素子側への傾斜としては、ファーストボンドを形成する部位から発光素子までの距離によるが、数度〜数十度程度が好ましい。なお、第１ボンディングボールに向かって方向が徐々に変更するループの場合には、このファーストボンドの上方に向かう部位と、方向が徐々に変更する部位との境界が明確でなくてもよい。
略同一の高さを保って延長する部位は、少なくとも、発光素子と板状透光部材との間に位置する部位である。ここで、略同一の高さとは、第１ボンディングボールの上面と略同一の高さを意味する。このような部位を有することにより、第１ボンディングボールと、後述する第２ボンディングボールとの高さに相当する空間がこの部位の上下に配置することとなる。これによって、ボンディングワイヤが、発光素子及び板状透光部材の双方に接触することなく、ワイヤのダメージ及び断線を招くことを防止することができる。
なお、ループとして配置されるボンディングワイヤの最も高い位置は、後述する第２ボンディングボールの最上面よりも低い位置にあることが好ましい。これにより、上述したボンディングワイヤの非接触状態を確保することができる。
【００３２】
積層体を構成する第２ボンディングボールは、第１ボンディングボールと同様に形成することができる。
第２ボンディングボールの直径は、平面視で第１ボンディングボールの直径と同じ又はそれよりも小さいことが好ましい。これによって、発光素子から出射される光を、効率よく板状透光部材へ導光することが可能となる。
【００３３】
（板状透光部材）
板状透光部材は、発光素子から出射される光を通過させる部材であり、発光素子から出射される光の６０％以上を透過するもの、さらに、７０％、８０％又は９０％以上を透過するものが好ましい。このような部材としては、例えば、シリコーン樹脂、シリコーン変性樹脂、エポキシ樹脂、フェノール樹脂、ポリカーボネート樹脂、アクリル樹脂、トリメチルペンテン樹脂、ポリノルボルネン樹脂、又はこれらの樹脂を１種以上含むハイブリッド樹脂等の樹脂、ガラス等が挙げられる。
【００３４】
板状透光部材は、板状又はシート状であればよく、その厚みは特に限定されないが、１０〜５００μｍ程度が好ましい。１つの板状透光部材は均一な厚みを有していることが好ましいが、部分的に厚膜又は薄膜状であってもよいし、上面を凸面、凹面等の凹凸面にしてもよい。その平面形状は、発光装置の大きさ、形状、発光素子の配置等によって適宜調整することができ、発光素子の上面よりも大きい、小さい又は発光素子の上面と同じ大きさとすることができる。なかでも、発光素子の上面の全部を被覆する大きさ、つまり、発光素子の上面と同じ又はそれよりも大きいことが好ましい。後述するように、複数の発光素子を被覆する場合は、これら全ての発光素子の上面の全部を被覆する大きさとすることが好ましい。
【００３５】
板状透光部材は、１つの発光装置に１つのみ配置されていればよい。この場合、１つの発光素子が搭載された１つの発光装置に対して、１つの板状透光部材が配置されていてもよいし、複数の発光素子が搭載された１つの発光装置に対して、１つの板状透光部材が配置されていてもよい。また、複数の発光素子が搭載された１つの発光装置に対して、２以上の板状透光部材が配置されていてもよい。この場合、個々の発光素子にそれぞれ板状透光部材が配置されていてもよいし、２以上の発光素子をグループ化して、各グループに１つの板状透光部材が配置されていてもよい。
【００３６】
板状透光部材は、発光素子の上に配置されていればよく、特に、上述した積層体の上方に配置されていることが好ましい。つまり、板状透光部材は、１つの板状透光部材の下方に２以上の積層体を備える。言い換えると、１つの板状透光部材は、２以上の積層体の上に、積層体によって支持されて、配置されていることが好ましい。これによって、板状透光部材を積層体により安定的に配置／固定させることができる。
【００３７】
板状透光部材は、蛍光体及び／又は拡散材等を備えていてもよい。これらは、板状透光部材の材料中に含有されていてもよいし、これらを含有する層がその上、間、下に配置されていてもよい。
蛍光体としては、当該分野で公知のものを使用することができる。例えば、セリウムで賦活されたイットリウム・アルミニウム・ガーネット（ＹＡＧ）、セリウムで賦活されたルテチウム・アルミニウム・ガーネット（ＬＡＧ）、ユウロピウム及び／又はクロムで賦活された窒素含有アルミノ珪酸カルシウム（ＣａＯ−Ａｌ２Ｏ３−ＳｉＯ２）、ユウロピウムで賦活されたシリケート（（Ｓｒ，Ｂａ）２ＳｉＯ４）などが挙げられる。これにより、可視波長の一次光及び二次光の混色光（例えば白色系）を出射する発光装置、紫外光の一次光に励起されて可視波長の二次光を出射する発光装置とすることができる。特に、青色発光素子に組み合わせて白色発光させる蛍光体としては、青色で励起されて黄色のブロードな発光を示す蛍光体を用いることが好ましい。例えば、ＹＡＧ（Yttrium Aluminum Garnet）系、ＢＯＳ（Barium ortho-Silicate）系等が好ましい。このような蛍光体が板状透光性部材に含有される場合、蛍光体の濃度を、例えば５〜５０％程度とすることが好ましい。
また、黄色蛍光体の他に、Ｓｉ６−ＺＡｌＺＯＺＮ８−Ｚ：Ｅｕ、Ｌｕ３Ａｌ５Ｏ１２：Ｃｅ、ＢａＭｇＡｌ１０Ｏ１７：Ｅｕ、ＢａＭｇＡｌ１０Ｏ１７：Ｅｕ，Ｍｎ、（Ｚｎ，Ｃｄ）Ｚｎ：Ｃｕ、（Ｓｒ，Ｃａ）１０（ＰＯ４）６Ｃｌ２：Ｅｕ，Ｍｎ、（Ｓｒ，Ｃａ）２Ｓｉ５Ｎ８：Ｅｕ、ＣａＡｌＳｉＢｘＮ３＋ｘ：Ｅｕ、Ｋ２ＳｉＦ６：Ｍｎ及びＣａＡｌＳｉＮ3：Ｅｕなどの蛍光体を用いて演色性や、色再現性を調整することもできる。
【００３８】
拡散剤としては、例えば、シリカ、酸化チタン、酸化ジルコニウム、酸化マグネシウム、炭酸マグネシウム、水酸化マグネシウム、炭酸カルシウム、水酸化カルシウム、珪酸カルシウム、酸化亜鉛、チタン酸バリウム、酸化アルミニウム、酸化鉄、酸化クロム、酸化マンガン、ガラス、カーボンブラック、蛍光体の結晶又は焼結体、蛍光体無機物の結合材との焼結体等が挙げられる。
【００３９】
（光透過部材）
板状透光部材は、積層体の上方に配置するために、接着剤として、板状透光部材と発光素子との間に光透過部材を備えることが好ましい。
光透過部材は、板状透光部材と発光素子との接着性を確保できる限り、板状透光部材と同様の材料によって形成することができる。また、光透過部材は、蛍光体及び／又は拡散材等を備えていてもよい。これら蛍光体及び／又は拡散材としては、上で例示したものと同様のものが挙げられる。これら蛍光体及び／又は拡散材は、光透過部材を構成する材料中に含有されることが好ましい。
【００４０】
光透過部材は、少なくとも、発光素子の上面、板状透光部材の下面に接触して配置していればよく、積層体を取り囲むように積層体の側面に接触して配置されていることが好ましい。積層体を構成するボンディングワイヤの一部、特に、発光素子の直上（つまり、発光素子の上方かつ外縁の内側、以下同じ）に位置するボンディングワイヤの全周囲を取り囲むように配置されていることが好ましい。これにより、ボンディングワイヤの板状透光部材等への接触に起因するボンディングワイヤのダメージの防止を確実とすることができる。積層体の上面と板状透光部材の下面とに接触してこれらの間に光透過部材が配置されていてもよい。また、光透過部材は、発光素子の直上のみならず、発光素子の外縁から板状透光部材側に向かって広がって配置していてもよい（図３参照）。
光透過部材の厚みは、積層体の総高さと略同一であることが好ましい。
光透過部材は、ポッティング、スクリーン印刷等によって形成することができる。
【００４１】
（光反射部材）
発光素子は、その側面の少なくとも一部が光反射部材で被覆されていることが好ましく、その側面の全部が被覆されていることがより好ましい。これにより、発光素子から横方向に出射される光を上方に効率的に取り出すことができる。また、上述した光透過部材が配置されている場合は、その側面の少なくとも一部、好ましくは全部が光反射部材で被覆されていることが好ましい。従って、積層体を構成するボンディングワイヤの一部、特に、発光素子の直上から発光素子の外縁の外側に延びるボンディングワイヤの一部又は全周囲を取り囲むように配置されていることが好ましい。
【００４２】
光反射部材は、発光素子からの光に対する反射率が６０％以上である反射性材料、より好ましくは７０％、８０％又は９０％以上の反射性材料で形成されているものが好ましい。
反射性材料は、例えば、セラミック、樹脂、誘電体、パルプ、ガラス又はこれらの複合材料等により形成することができるが、なかでも、任意の形状に容易に成形することができるという観点から、樹脂が好ましい。
樹脂としては、熱硬化性樹脂、熱可塑性樹脂などが挙げられる。具体的には、シリコーン樹脂、変性シリコーン樹脂、エポキシ樹脂、変性エポキシ樹脂、アクリル樹脂の１種以上を含む樹脂又はハイブリッド樹脂等が挙げられる。
また、これら材料、例えば、樹脂に、二酸化チタン、二酸化ケイ素、二酸化ジルコニウム、チタン酸カリウム、アルミナ、窒化アルミニウム、窒化ホウ素、ムライト、酸化ニオブ、硫酸バリウム、カーボンブラック、各種希土類酸化物（例えば、酸化イットリウム、酸化ガドリニウム）などの光反射材、光散乱材又は着色剤等を含有させることが好ましい。ガラスファイバー、ワラストナイトなどの繊維状フィラー、カーボン等の無機フィラー、放熱性の高い材料（例えば、窒化アルミ等）を含有させてもよい。
光反射部材は、スクリーン印刷、ポッティング、トランスファーモールド、コンプレッションモールド等により形成することができる。
【００４３】
本発明の発光装置には、発光素子の他、保護素子等が搭載されていてもよい。保護素子は、１つでもよいし、２つ以上の複数個でもよい。ここで、保護素子は、例えば、過熱、過電圧、過電流、保護回路、静電保護素子等、具体的には、ツェナーダイオード、トランジスタのダイオード等の公知のもののいずれでもよい。
【００４４】
以下に、本発明の発光装置の実施例を図面に基づいて詳細に説明する。
実施形態１
この実施形態の発光装置１０を、図１Ａ、１Ｂ、１Ｃ及び１Ｄに示す。図１Ｂは、図１Ａにおける板状透光部材１７と光反射部材１９とを省略したものである。また、図１Ｃ及び図１Ｄにおいては、積層体中のボンディングワイヤ１６ｂは薄いため図示していない。
基体１１と、基体１１の上面に搭載された発光素子１５と、発光素子１５と電気的に接続されたワイヤ１６と、発光素子１５を被覆する板状透光部材１７とを備える。また、発光素子１５と板状透光部材１７との間に配置される光透過部材１８と、発光素子１５の側面を被覆する光反射部材１９を備えている。
【００４５】
基体１１は、例えば、窒化アルミニウムからなる板材の表面に、チタン、パラジウム、金がパターン蒸着されて配線１２が形成されたものであり、この配線１２の上にさらに金メッキが施されている。配線１２は、基体１１の両側に延長する一対のパターンの他に、後述するように、発光素子１５を載置し、直列に接続するパターンも含む。
基体１１上に搭載された発光素子１５は、互いに離間して、例えば、４個直列に載置されている。
発光素子１５は、上面に正負電極が形成されたものであり、基体１１上に、接合部材１４によって、フリップチップ実装されている。
【００４６】
発光素子１５の各電極は、ワイヤ１６に電気的に接続され、さらに配線１２と電気的に接続されている。
ワイヤ１６は、その一端において、第１ボンディングボール１６ａと、ボンディングワイヤ１６ｂと、第２ボンディングボール１６ｃとがこの順に積層された積層体１６Ｄを有している。この積層体は、発光素子１５の上面に配置されている。ここで、第１ボンディングボール１６ａ及び第２ボンディングボール１６ｃの高さは、１５〜４０μｍ程度であり、積層体１６Ｄの総高さは、３０〜８０μｍ程度である。積層体１６Ｄは、４個直列に載置された発光素子１５のそれぞれに、略対角線上に４つずつ配置されている。
ワイヤ１６は、その他端において、第３ボンディングボール１６ｅを有し、配線１２の表面に接続されている。
【００４７】
ワイヤ１６は、第３ボンディングボールからその上方に向かう部位Ａと、第１ボンディングボール１６ａと第２ボンディングボール１６ｃとの間に向かって方向を変更する部位Ｂと、略同一の高さを保って第１ボンディングボール上まで延長してボンディングワイヤ１６ｂとなる部位Ｃを有する。
部位Ａは、配線１２の表面に対して略直角に延長している。
部位Ｂは、部位Ａから、第１ボンディングボール１６ａに向かって方向が徐々に変更している。
部位Ｃは、第１ボンディングボール１６ａの上面と略同一の高さを維持するように、部位Ｂから延長している。
従って、ワイヤ１６の最も高い部位は、第２ボンディングボール１６ｃの上面よりも低い位置に配置されている。
ワイヤ１６による積層体１６Ｄは、各発光素子１５においてそれぞれ４つ形成されている。
基体１１の配線パターン１２上には、保護素子１３がさらに配置されている。
【００４８】
板状透光部材１７は、基体１１上に搭載された４個の発光素子１５の全部を被覆し、４個の発光素子の外形よりも若干大きな大きさ（４個の発光素子の外形の１２％程度の大きさ）を有する。板状透光部材１７は、例えば、０．２ｍｍ程度の均一な厚みを有する。板状透光部材１７は、上述した合計１６個の積層体の上方に配置されている。
板状透光部材１７は、ＹＡＧとアルミナとを混合して焼結して形成されている。ＹＡＧ蛍光体は板状透光部材１７の全重量の５〜１５重量％で含有されている。
【００４９】
発光素子１５と板状透光部材１７との間には、さらに光透過部材１８が配置されている。光透過部材１８は、シリコーン樹脂から形成されており、熱硬化されている。光透過部材１８は、各発光素子１５の上面の全てと、発光素子１５の直上に存在するワイヤ１６の周囲と、積層体の周囲とを取り囲んで配置されている。
【００５０】
各発光素子１５の側面は、光反射部材１９によって被覆されている。
光反射部材１９は、シリコーン樹脂に酸化チタンが３０重量％程度で含有されている。
発光素子１５間に存在する光反射部材１９は、連結して、一体として配置されている。また、光反射部材１９は、光透過部材１８及び板状透光部材１７の側面も被覆しており、板状透光部材１７の上面と面一の上面を有する。
【００５１】
このように、発光素子がフェイスアップ実装された場合においても、ワイヤによって構成される積層体が、発光素子の上面おいて、第１ボンディングボールと、ボンディングワイヤと、第２ボンディングボールとがこの順に積層されているために、発光素子の上面と、発光素子を被覆する板状透光部材との間の空間を任意の大きさで確保することができる。これによって、発光素子に電気的に接続されるボンディングワイヤが、発光素子の上面及び板状透光部材の下面及び側面等に接触することを効果的に回避することができる。その結果、ワイヤのダメージ及び断線の生じない信頼性の高い発光装置を得ることができる。
【００５２】
実施形態２
この実施形態の発光装置２０は、図２Ａ、２Ｂ及び２Ｃに示す。図２Ｂは、図２Ａにおける板状透光部材１７と光反射部材１９とを省略したものである。
この発光装置２０は、チップサイズパッケージ（ＣＳＰ）であり、基体２１上に配線パターン２２が正負一対形成されており、この基体２１上に、１つの発光素子１５と１つの保護素子１３が配置されている以外は、実質的に実施形態１の発光装置１０と同様の構成である。
【産業上の利用可能性】
【００５３】
本発明の発光装置は、発光素子を搭載することにより、ファクシミリ、コピー機、ハンドスキャナ等における画像読取装置に利用される照明装置のみならず、照明用光源、ＬＥＤディスプレイ、携帯電話機等のバックライト光源、信号機、照明式スイッチ、車載用ストップランプ、各種センサ及び各種インジケーター等の種々の照明装置に、高い信頼性で、利用することができる。
また、発光装置のみならず、ＩＣ、メモリ等の種々の発光装置のワイヤボンディングにおいても広く利用することができる。
【符号の説明】
【００５４】
１０、２０  発光装置
１１、２１  基体
１２、２２  配線
１３  保護素子
１４  接合部材
１５  発光素子
１６  ワイヤ
１６ａ  第１ボンディングボール
１６ｂ  ボンディングワイヤ
１６ｃ  第２ボンディングボール
１６Ｄ  積層体
１６ｅ  第３ボンディングボール
１７  板状透光部材
１８  光透過部材
１９  光反射部材
Ａ  第３ボンディングボールからその上方に向かう部位
Ｂ  方向を変更する部位
Ｃ  ボンディングワイヤとなる部位
【図１Ａ】
2015070124.tif 000003
【図１Ｂ】
2015070124.tif 000004
【図１Ｃ】
2015070124.tif 000005
【図１Ｄ】
2015070124.tif 000006
【図２Ａ】
2015070124.tif 000007
【図２Ｂ】
2015070124.tif 000008
【図２Ｃ】
2015070124.tif 000009